(57)【要約】【課題】本発明は、現在選択されている防振モードを視覚にて確認することができる防振レンズ装置を提供することを目的とする。【解決手段】本発明の防振レンズ装置１０によれば、防振特性切替スイッチ１０８によって選択された通常モード及び高感度モードを表示する防振特性モード表示用ＬＥＤ１３０を設けた。防振特性モード表示用ＬＥＤ１３０は、通常モードが選択された場合には緑色に発光し、高感度モードが選択された場合には赤色に発光するようにマイコン１３４によって制御されている。これにより、防振特性モード表示用ＬＥＤ１３０に表示されている色を見ることによって、現在選択されている防振モードが通常モードでかるのか、高感度モードであるのかを容易に確認することができる。【選択図】  図６
2005181732.tif 000002
【特許請求の範囲】
【請求項１】
像ぶれを補正する補正レンズを備えるとともに補正レンズによる防振モードを複数種類有し、複数の防振モードのうち所望の防振モードをスイッチの切り替えによって選択する防振レンズ装置において、
防振モード表示手段を備え、該防振モード表示手段は、前記スイッチの切り替えによって選択された防振モードの種類に応じて表示内容が変更されるように制御部によって制御されていることを特徴とする防振レンズ装置。
【請求項２】
前記防振モード表示手段は、発光ダイオードによって構成されていることを特徴とする請求項１に記載の防振レンズ装置。
【請求項３】
前記発光ダイオードは、選択された前記防振モードに応じて発光色が変更されるように前記制御部によって制御されていることを特徴とする請求項２に記載の防振レンズ装置。
【請求項４】
前記発光ダイオードは、選択された前記防振モードに応じて点灯又は点滅するように前記制御部によって制御されていることを特徴とする請求項２に記載の防振レンズ装置。
【請求項５】
前記防振モードは、防振の効きの感度が適度な第１のモード、及び防振の効きの感度が高い第２のモードであることを特徴とする請求項１、２、３又は４のうちいずれか一つに記載の防振レンズ装置。
【請求項６】
前記防振モードは、鉛直及び水平の両方向に防振を実行する第１のモード、及び鉛直又は水平のうち一方の方向のみに防振を実行する第２のモードであることを特徴とする請求項１、２、３又は４のうちいずれか一つに記載の防振レンズ装置。
【請求項７】
前記防振モード表示手段は、前記防振レンズを駆動する駆動部を遠隔操作する遠隔操作装置に取り付けられていることを特徴とする請求項１、２、３、４、５又は６のうちいずれか一つに記載の防振レンズ装置。
【請求項８】
前記防振モード表示手段は、前記防振レンズ装置が取り付けられるカメラのファインダに設けられることを特徴とする請求項１、２、３、４、５又は６のうちいずれか一つに記載の防振レンズ装置。
【発明の詳細な説明】
【技術分野】
【０００１】
本発明は防振レンズ装置に係り、特にカメラに加わった振動によって生じる像ぶれを補正する補正レンズを備えた防振レンズ装置に関する。
【背景技術】
【０００２】
光学性能の高倍率、高性能化に伴い最近のテレビカメラに使用されるレンズ装置には、テレビカメラに加わった振動によって生じる像ぶれを補正する補正レンズを備えたものがある。補正レンズを備えたレンズ装置（以下、「防振レンズ装置」と称する）には、鉛直・水平方向の振動を検出する角速度センサ、及びリニアモータを有する補正レンズ駆動部等が設けられ、角速度センサで検出された振動情報に基づいて、補正レンズを補正レンズ駆動部によって像ぶれを補正する位置に移動する（例えば。特許文献１）。
【０００３】
また、レンズ装置の電動駆動ユニットに防振スイッチを設け、この防振スイッチをＯＮ操作することにより、防振機能による振れ補正を開始する防振レンズ装置も提案されている（例えば、特許文献２）。
【特許文献１】特開２００２−１５６６９５号公報
【特許文献２】特開２００２−３１８４００号公報
【発明の開示】
【発明が解決しようとする課題】
【０００４】
しかしながら、特許文献１、２等に開示された従来の防振レンズ装置は、振れ補正を開始／停止させるためのスイッチは有しているものの、撮影中において防振機能のＯＮ／ＯＦＦ状態をカメラマンに確認させる手段がないという問題があった。
【０００５】
また、防振レンズ装置には、防振の特性を適宜選択するために複数の防振モードが設定されているものがあり、これらの防振モードは、カメラマンによるスイッチの手動切り替え操作によって選択される。スイッチのうち、防振特性切替スイッチは、防振感度を通常モードと高感度モードとに切り替えるスイッチであり、補正方向切替スイッチは、補正レンズの振れ補正方向を鉛直・水平の両方向と鉛直方向のみとに切り替えるスイッチである。これらのスイッチによって４種類の特性が選択されるが、これらの特性を視覚にて確認するものは、従来の防振レンズ装置にはなかった。
【０００６】
本発明はこのような事情に鑑みてなされたもので、現在選択されている防振モードを視覚にて確認することができる防振レンズ装置を提供することを目的とする。
【課題を解決するための手段】
【０００７】
本発明は、前記目的を達成するために、像ぶれを補正する補正レンズを備えるとともに補正レンズによる防振モードを複数種類有し、複数の防振モードのうち所望の防振モードをスイッチの切り替えによって選択する防振レンズ装置において、防振モード表示手段を備え、該防振モード表示手段は、前記スイッチの切り替えによって選択された防振モードの種類に応じて表示内容が変更されるように制御部によって制御されていることを特徴とする。
【０００８】
請求項１に記載の発明によれば、スイッチを切り替えることによって選択された防振モードを表示する防振モード表示手段を設け、この防振モード表示手段は、防振モードの種類に応じて表示内容が変更されるように制御部によって制御されている。よって、防振モード表示手段に表示されている表示内容を見ることによって、現在選択されている防振モードを容易に確認することができる。
【０００９】
請求項２に記載の発明によれば、前記防振モード表示手段は、発光ダイオードによって構成されていることを特徴とする。発光ダイオードを使用することにより、表示部を小型化でき、また、一つの発光ダイオードに複数の色を発光する発光部を内蔵できるため表示内容のバリエーションを広げることができる。
【００１０】
請求項３に記載の発明によれば、前記発光ダイオードは、選択された前記防振モードに応じて発光色が変更されるように前記制御部によって制御されていることを特徴としている。発光ダイオードの発光色を変更することにより、その色を見るだけで現在選択されている防振モードを容易に確認することができる。
【００１１】
請求項４に記載の発明によれば、前記発光ダイオードは、選択された前記防振モードに応じて点灯又は点滅するように前記制御部によって制御されていることを特徴としている。発光ダイオードが点滅していること、又は点灯していることを見るだけで、現在選択されている防振モードを容易に確認することができる。
【００１２】
請求項５に記載の発明によれば、前記防振モードは、防振の効きの感度が適度な第１のモード、及び防振の効きの感度が高い第２のモードであることを特徴としている。
【００１３】
請求項６に記載の発明によれば、前記防振モードは、鉛直及び水平の両方向に防振を実行する第１のモード、及び鉛直又は水平のうち一方の方向のみに防振を実行する第２のモードであることを特徴としている。
【００１４】
請求項５、及び６に記載の発明によれば、発光ダイオード等の防振モード表示手段に表示されている色又は防振モード表示手段が点灯又は点滅しているかを確認することによって、現在選択されている防振モードが前記第１のモード又は前記第２のモードであるかを容易に確認することができる。
【００１５】
請求項７に記載の発明によれば、前記防振モード表示手段は、前記防振レンズを駆動する駆動部を遠隔操作する遠隔操作装置に取り付けられていることを特徴としている。カメラマンは、遠隔操作装置を操作する際、遠隔操作装置に必ず目を向けるので、遠隔操作装置を操作した後、その位置から視線をそらすことなく、防振モード表示手段を見ることができる。これにより、カメラマンが防振モードを確認する際に、防振モード表示手段を探す手間を省くことができるので、カメラマンにかかる負担を軽減できる。
【００１６】
請求項８に記載の発明によれば、前記防振モード表示手段は、前記防振レンズ装置が取り付けられるカメラのファインダに設けられることを特徴としている。よって、カメラマンは、ファインダから目を離すことなく現在選択されている防振モードを確認できるので、防振モードを常時把握することができる。また、カメラマンが防振モードを確認する際に、防振モード表示手段を探す手間を省くことができるので、カメラマンにかかる負担を軽減できる。
【発明の効果】
【００１７】
本発明に係る防振レンズ装置によれば、スイッチによって選択された防振モードを表示する防振モード表示手段を設け、この防振モード表示手段は、防振モードの種類に応じて表示内容が変更されるように制御部によって制御されているので、防振モード表示手段に表示されている表示内容を見ることにより、現在選択されている防振モードを容易に確認することができる。
【発明を実施するための最良の形態】
【００１８】
以下、添付図面に従って本発明に係る防振レンズ装置の好ましい実施の形態を詳説する。
【００１９】
図１には、実施の形態の防振レンズ装置１０がカメラ１２のマウント１４に取り付けられ、カメラ１２とともにレンズ支持部材１６によって支持された状態が示されている。同図に示すカメラ１２は、肩乗せ可能なＥＮＧカメラであり、また、防振レンズ装置１０は、例えばズーム比が４２倍、重量が約５．５ｋｇの高倍率で重量物のレンズ装置である。防振レンズ装置１０及びカメラ１２は、レンズ支持部材１６上において前後、左右、及び上下に相対的に移動されて光軸合わせされるとともに、レンズ支持部材１６を介して、図２に示す三脚１８の雲台１９に取り付けられて使用される。
【００２０】
次に、防振レンズ装置１０の防振機構を図３に基づいて説明する。防振レンズ装置１０の補正レンズ２０は、固定鏡胴２２内に配置されるとともに、レンズ保持枠２４に保持されて撮影光軸Ｐ上に取り付けられている。補正レンズ２０は、レンズ保持枠２４を図３上でＸ方向（水平方向）に移動させるＸ方向ボイスコイルモータ２６と、レンズ保持枠２４を図３上でＹ方向（鉛直方向）に移動させるＹ方向ボイスコイルモータ２８とによって撮影光軸Ｐと直交する面内でＸＹ方向に移動されることにより、防振レンズ装置１０やカメラ１２に加わった振動によって生じる像ぶれを補正する。
【００２１】
Ｘ方向ボイスコイルモータ２６は、固定子２６Ｂが固定鏡胴２２の内側面に固定され、可動子２６Ａがプッシャー３０に支持されてＸ方向に移動するようになっている。プッシャー３０の両端部にはガイド孔３０Ａ、３０Ａが形成され、このガイド孔３０Ａ、３０Ａに、固定鏡胴２２にＸ方向に固定されたガイドバー３２、３２が挿入されることによって、プッシャー３０がＸ方向に移動可能に支持される。また、プッシャー３０には、ガイドバー３４がＹ方向に沿って取り付けられ、このガイドバー３４に、レンズ保持枠２４の側縁に設けられた軸受部３６が摺動自在に嵌合されている。
【００２２】
一方、Ｙ方向ボイスコイルモータ２８は、固定子２８Ｂが固定鏡胴２２の内側面に固定され、可動子２８Ａがプッシャー３８に支持されてＹ方向に移動するようになっている。プッシャー３８の両端部にはガイド孔３８Ａ、３８Ａが形成され、このガイド孔３８Ａ、３８Ａに、固定鏡胴２２にＹ方向に固定されたガイドバー４０、４０が挿入されることによって、プッシャー３８がＹ方向に移動可能に支持される。また、プッシャー３８には、ガイドバー４２がＸ方向に沿って取り付けられ、このガイドバー４２に、レンズ保持枠２４の側縁に設けられた軸受部４４が摺動自在に嵌合されている。
【００２３】
したがって、Ｘ方向ボイスコイルモータ２６の可動子２６ＡがＸ方向に移動すると、レンズ保持枠２４はプッシャー３０に押し引きされるとともに、プッシャー３８のガイドバー４２にＸ方向にガイドされながらＸ方向に移動する。また、Ｙ方向ボイスコイルモータ２８の可動子２８ＡがＹ方向に伸縮動作すると、レンズ保持枠２４はプッシャー３８に押し引きされるとともに、プッシャー３０のガイドバー３４にＹ方向にガイドされながらＹ方向に移動する。これにより、補正レンズ２０が撮影光軸Ｐと直交する面内でＸＹ方向に移動する。
【００２４】
補正レンズ２０の防振機構には、レンズ保持枠２４のＸ方向位置を検出する位置センサ４８が設けられるとともに、レンズ保持枠２４のＹ方向位置を検出する位置センサ４６が設けられている。
【００２５】
位置センサ４６は、図４に示すＬＥＤ５０及びＰＳＤ（Position Sensor Device）５２から構成される。ＬＥＤ５０は、フレキシブルケーブル５４の端部５４Ａに取り付けられた状態で、レンズ保持枠２４の取付溝２４Ａに嵌め込まれて固定される。レンズ保持枠２４の取付溝２４Ａにはスリット２４Ｃが形成され、このスリット２４Ｃに対向してＰＳＤ５２が配置される。ＰＳＤ５２は、基板５６に取り付けられ、この基板５６を介して固定鏡胴２２（図３参照）に固定される。ＰＳＤ５２は、ＬＥＤ５０からスリット２４Ｃを介して照射された光のスポット位置をアナログ的に検出し、この位置情報が防振レンズ装置１０のＣＰＵに出力される。
【００２６】
このＣＰＵは、図５に示すドライブユニット（駆動部）８０に内蔵され、ドライブユニット８０に設けられた防振機能のＯＮ／ＯＦＦスイッチ８２、又はドライブユニット８０の下部コネクタ８３（図６参照）にケーブル８４を介して設けられた防振用コントローラ（遠隔操作装置）８６のＯＮ／ＯＦＦスイッチ８８をＯＮすることによりカメラ１２から電源が供給されて駆動される。
【００２７】
一方、図３に示した位置センサ４８は、図４に示すＬＥＤ５８及びＰＳＤ６０から構成される。ＬＥＤ５８は、フレキシブルケーブル５４の端部５４Ｂに取り付けられた状態で、レンズ保持枠２４の取付溝２４Ｂに嵌め込まれて固定される。レンズ保持枠２４の取付溝２４Ｂにはスリット（不図示）が形成され、このスリットに対向してＰＳＤ６０が配置される。ＰＳＤ６０は、基板６２に取り付けられ、この基板６２を介して固定鏡胴２２（図３参照）に固定される。ＰＳＤ６０は、ＬＥＤ５８からスリットを介して照射された光のスポット位置をアナログ的に検出し、この位置情報が防振レンズ装置１０の前記ＣＰＵに出力される。
【００２８】
これにより、前記ＣＰＵには、レンズ保持枠２４のＸ方向位置を示す情報が位置センサ４８から、そして、レンズ保持枠２４のＹ方向位置を示す情報が位置センサ４６からそれぞれ入力される。この位置情報に基づいて、Ｘ方向ボイスコイルモータ２６及びＹ方向ボイスコイルモータ２８が駆動される。
【００２９】
なお、フレキシブルケーブル５４は、図４に示すようにＸ方向ボイスコイルモータ２６及びＹ方向ボイスコイルモータ２８に接続されるとともに、フレキシブルケーブル５４の固定部５４Ｃが固定鏡胴２２（図３参照）に固定され、端部５４Ｄが前記ＣＰＵの防振制御基板（不図示）に接続される。
【００３０】
次に、防振レンズ装置１０の光学系について説明する。防振レンズ装置１０の内部構造は図示していないが、被写体側からカメラ１２に向かってフォーカスレンズ、ズームレンズ、アイリス、補正レンズ２０、及びエクステンダを含むマスターレンズ９０（図６参照）が順に配置されて構成されている。
【００３１】
フォーカスレンズは、図５の如く固定鏡胴２２に回動自在に設けられたフォーカスリング９２を回動操作することにより光軸Ｐに沿って前後移動される。これにより、被写体の焦点が調節される。
【００３２】
また、ズームレンズは、所定の位置関係をもって光軸Ｐ方向に移動する変倍系レンズと補正系レンズとからなり、固定鏡胴２２に回動自在に設けられたズームリング９４を回動操作することにより光軸Ｐに沿って前後移動される。これにより、被写体の焦点距離が調節される。
【００３３】
更に、アイリスは、アイリスリング９６を回動すると、これに連動して絞り開口を拡縮駆動する虹彩絞り機構を有している。これにより、アイリスリング９６を回動すると、開口径が変更され、絞り値が調節される。
【００３４】
エクステンダは、防振レンズ装置１０の光学系によって結像される像の倍率を例えば１倍と２倍とで切り換えるための各倍率に対応したレンズ（以下、これらのレンズを「エクステンダレンズ」と称する）を備え、固定鏡胴２２に内蔵されたモータによる動作又は手動操作されるレバー９８の回動操作によって、光軸Ｐ上に挿入されるエクステンダレンズが所望の倍率のエクステンダレンズに切り替えられる。マスターレンズ９０は、エクステンダレンズから出射された被写体光をカメラ１２のＣＣＤに導くレンズである。
【００３５】
フォーカスリング９２、ズームリング９４、及びアイリスリング９６は、図２の二点鎖線で示すカメラマン１００の左手によって操作される。テレビカメラを操作するカメラマン１００は、カメラ１２の側方に位置し、右手で雲台１９の操作棒１０２を把持するとともにカメラ１２の電子ビューファインダ１０４を覗きながら被写体を確認し、左手で防振レンズ装置１０を操作する。左手において、図５の二点鎖線で示すように、比較的大きなフォーカスリング９２を小指と薬指とで回動操作し、ズームリング９４を中指で回動操作し、人指し指でアイリスリング９６を回動操作する。そして、各操作リング９２、９４、９６にそれらを操作する指を当てた状態で、フリーの親指にて防振用コントローラ８６のＯＮ／ＯＦＦスイッチ８８等を操作する。
【００３６】
次に、防振用コントローラ８６について説明する。
【００３７】
図１、図５に示すように防振用コントローラ８６は、エクステンダレンズが位置する固定鏡胴２２の外周部に配置されている。防振用コントローラ８６のＯＮ／ＯＦＦスイッチ８８を図２のカメラマン１００が操作する場合、前述の如くカメラマン１００は各操作リング９２、９４、９６から指を放すことなく、フリーな状態の親指で操作する。
【００３８】
また、防振用コントローラ８６は、図５の如く固定鏡胴２２の外周部に形成された平坦部１２２に取り付けられ、この平坦部１２２は図６の如く左下がりに傾斜して形成されている。更に、防振用コントローラ８６は、図２に示した雲台１９の操作棒１０２に着脱自在に取り付けられる同一のブラケット１２４（図６参照）を介して、固定鏡胴２２の外周部に取り付けられている。ブラケット１２４には、位置決め用の孔１２６と固定ねじ１２８とが設けられ、位置決め用の孔１２６を固定鏡胴２２側及び操作棒１０２側のピンに嵌合し、固定ねじ１２８を固定鏡胴２２側及び操作棒１０２側のねじ孔に螺入することにより、防振用コントローラ８６がブラケット１２４を介して防振レンズ装置１０側又は操作棒１０２に取り付けられる。
【００３９】
一方、防振用コントローラ８６には、ＯＮ／ＯＦＦスイッチ８８の他、ＯＮ／ＯＦＦ表示灯１０６、防振特性切替スイッチ１０８、補正方向切替スイッチ１１０、防振特性モード表示用ＬＥＤ（防振モード表示手段（発光ダイオード））１３０、及び補正方向表示用ＬＥＤ（防振モード表示手段（発光ダイオード））１３２が取り付けられ、防振機能全般を防振用コントローラ８６によって遠隔操作可能としている。
【００４０】
ＯＮ／ＯＦＦ表示灯１０６は発光ダイオードであり、この発光ダイオードは、ＯＮ／ＯＦＦスイッチ８８のＯＮ／ＯＦＦ切り替え操作によって点灯／消灯するように図７、図９に示したマイコン（制御部）１３４によって制御されている。また、ＯＮ／ＯＦＦ表示灯１０６は図６の如く、ＯＮ／ＯＦＦスイッチ８８と対応することが容易に分かるように、ＯＮ／ＯＦＦスイッチ８８の下方に位置する防振用コントローラ８６の側面に取り付けられている。
【００４１】
防振特性切替スイッチ１０８は、防振感度を通常モード（第１の防振モード）と高感度モード（第２の防振モード）とに切り替えるスイッチである。通常モードとは、防振の効きが適度で防振特有の違和感が少ない防振モードであり、高感度モードとは、防振の効きを最優先した防振モードである。図３、図４で示した補正レンズ２０は、防振特性切替スイッチ１０８によって選択された通常モード、又は高感度モードで駆動されるようにドライブユニット８０に内蔵されたＣＰＵによってその動作が制御される。
【００４２】
防振特性切替スイッチ１０８は、図７に示すように手動操作される可動接触子１３６、及び二つの固定接触子１３８、１４０から構成される。可動接触子１３６が固定接触子１３８に接触した信号がマイコン（制御部）１３４に出力されると、マイコン１３４は、防振モードが通常モードに切り替えられたと判断し、防振特性モード表示用ＬＥＤ１３０の発光部１４２を緑色点灯させるとともに発光部１４４を消灯させるようにＬＥＤ駆動回路部１４６を制御する。また、可動接触子１３６が固定接触子１４０に接触した信号がマイコン（制御部）１３４に出力されると、マイコン１３４は、防振モードが高感度モードに切り替えられたと判断し、防振特性モード表示用ＬＥＤ１３０の発光部１４４を赤色発光させるとともに発光部１４２を消灯させるようにＬＥＤ駆動回路部１４６を制御する。したがって、図８の如く防振特性切替スイッチ１０８によって通常モードが選択された場合には、防振特性モード表示用ＬＥＤ１３０は緑色発光し、また、高感度モードが選択された場合には、防振特性モード表示用ＬＥＤ１３０は赤色発光する。
【００４３】
この防振特性モード表示用ＬＥＤ１３０は図６の如く、防振特性切替スイッチ１０８と対応することが容易に分かるように、防振特性切替スイッチ１０８の下方に位置する防振用コントローラ８６の側面に取り付けられている。
【００４４】
補正方向切替スイッチ１１０は、図３に示した補正レンズ２０の振れ補正方向を鉛直・水平の両方向で実行するＶＨ（Vertical and Horizontal ）モード（第１の防振モード）と鉛直方向のみで実行するＶ（Vertical）モード（第２の防振モード）とに切り替えるスイッチである。図３、図４で示した補正レンズ２０は、補正方向切替スイッチ１１０によって選択されたＶＨモード、又はＶモードで駆動されるようにドライブユニット８０に内蔵されたＣＰＵによってその動作が制御される。
【００４５】
補正方向切替スイッチ１１０は、図９に示すように手動操作される可動接触子１５０、及び二つの固定接触子１５２、１５４から構成される。可動接触子１５０が固定接触子１５２に接触した信号がマイコン（制御部）１３４に出力されると、マイコン１３４は、防振モードがＶＨモードに切り替えられたと判断し、補正方向表示用ＬＥＤ１３２の発光部１５６を緑色点灯させるとともに発光部１５８を消灯させるようにＬＥＤ駆動回路部１４６を制御する。また、可動接触子１５０が固定接触子１５４に接触した信号がマイコン（制御部）１３４に出力されると、マイコン１３４は、防振モードがＶモードに切り替えられたと判断し、補正方向表示用ＬＥＤ１３２の発光部１５８を赤色発光させるとともに発光部１５６を消灯させるようにＬＥＤ駆動回路部１４６を制御する。これにより、図１０の如く補正方向切替スイッチ１１０によってＶＨモードが選択された場合には、補正方向表示用ＬＥＤ１３２は緑色発光し、また、Ｖモードが選択された場合には、補正方向表示用ＬＥＤ１３２は赤色発光する。
【００４６】
この補正方向表示用ＬＥＤ１３２は図６の如く、補正方向切替スイッチ１１０と対応することが容易に分かるように、補正方向切替スイッチ１１０の下方に位置する防振用コントローラ８６の側面に取り付けられている。
【００４７】
なお、図５の如くドライブユニット８０にもＯＮ／ＯＦＦ表示灯１１２、防振特性切替スイッチ１１４（図６参照）、及び補正方向切替スイッチ１１６（図５参照）が取り付けられている。これらのスイッチ１１２、１１４、１１６を操作してもＯＮ／ＯＦＦ表示灯１０６、防振特性モード表示用ＬＥＤ１３０、及び補正方向表示用ＬＥＤ１３２は前述したように発光する。スイッチによる防振モードの選択は、防振用コントローラ８６側のスッチが、ドライブユニット８０側のスイッチよりも優先されている。また、ドライブユニット８０には前記スイッチ１１２、１１４、１１６の他、焦点距離を調節するズームシーソレバー１１８及びアイリスオート／マニュアル切替スイッチ１２０等、複数のスイッチ及びレバーが設けられている。
【００４８】
したがって、このように構成された防振レンズ装置１０によれば、防振特性切替スイッチ１０８によって選択された通常モード及び高感度モードを表示する防振特性モード表示用ＬＥＤ１３０を設け、通常モードが選択された場合には緑色に発光し、高感度モードが選択された場合には赤色に発光するようにマイコン１３４によって防振特性モード表示用ＬＥＤ１３０を制御したので、防振特性モード表示用ＬＥＤ１３０に表示されている色（表示内容）を見ることによって、現在選択されている防振モードが通常モードであるのか、高感度モードであるのかを容易に確認することができる。なお、発光色は緑、赤に限定されるものではなく、両者を明確に識別できる色であれば何色でもよい。また、ＬＥＤの発光色によって防振モードを判別させるのではなく、一方の防振モードの時には点灯させ、他方の防振モードの時には点滅させるように防振特性モード表示用ＬＥＤ１３０を制御してもよい。
【００４９】
また、防振レンズ装置１０によれば、補正方向切替スイッチ１１０によって選択されたＶＨ及びＶモードを表示する補正方向表示用ＬＥＤ１３２を設け、ＶＨモードが選択された場合には緑色に発光し、Ｖモードが選択された場合には赤色に発光するようにマイコン１３４によって補正方向表示用ＬＥＤ１３２を制御したので、補正方向表示用ＬＥＤ１３２に表示されている色（表示内容）を見ることによって、現在選択されている防振モードがＶＨモードであるのか、Ｖモードであるのかを容易に確認することができる。なお、発光色は緑、赤に限定されるものではなく、両者を明確に識別できる色であれば何色でもよい。また、ＬＥＤの発光色によって防振モードを判別させるのではなく、一方の防振モードの時には点灯させ、他方の防振モードの時には点滅させるように補正方向表示用ＬＥＤ１３２を制御してもよい。更に、Ｖモードに代えて、振れ補正方向を水平方向のみで実行するＨモードを適用してもよい。
【００５０】
そして、実施の形態の防振レンズ装置１０は、防振モード表示手段として発光ダイオードを適用したので、防振特性モード表示部及び補正方向表示部を小型化でき、また、一つの発光ダイオードに複数の色を発光する発光部を内蔵できるため表示内容のバリエーションを広げることができる。たとえば、防振モードが通常モードと高感度モードの二つだけではなく、多段に区分けされている場合には、その区分けされた数に対応する数の発光部を発光ダイオードに内蔵し、それらの発光部の色を各々異なるようにすることによって、現在どの段の防振モードであるのかを容易に認識できる。
【００５１】
更に、防振特性モード表示用ＬＥＤ１３０及び補正方向表示用ＬＥＤ１３２は、防振レンズ装置１０の防振モードを選択する際に、すなわちスイッチ１０８、１１０を操作する際に、必ず目を向ける防振用コントローラ８６に取り付けられているので、防振用コントローラ８６によって防振モードを選択した後、その位置から視線をそらすことなく、防振特性モード表示用ＬＥＤ１３０及び補正方向表示用ＬＥＤ１３２の発光色、又は点灯／点滅状態を見るだけで、選択した防振モードを容易に確認できる。よって、カメラマンが防振モードを確認する際に、ＬＥＤ１３０、１３２を探す手間を省くことができるので、カメラマンにかかる負担を軽減できる。
【００５２】
また、防振モード表示手段を図１に示したカメラ１２のファインダ１０４に内蔵してもよい。よって、カメラマンは、ファインダ１０４から目を離すことなく現在選択されている防振モードをファインダ１０４を見るだけで確認できるので、防振モードを常時把握することができる。よって、カメラマンが防振モードを確認する際に、防振モード表示手段を探す手間を省くことができるので、カメラマンにかかる負担を軽減できる。ファインダ１０４に防振モードを表示する表示方法としては、色表示でもよく文字表示でもよい。また、ファインダ１０４の表示範囲の近傍に発光ダイオード、又は小型液晶表示パネル等の表示手段を取り付け、これらの表示手段によって色表示、又は文字表示させて現在の防振モードを確認させてもよい。
【図面の簡単な説明】
【００５３】
【図１】実施の形態の防振レンズ装置を備えたテレビカメラの側面図
【図２】図１に示したテレビカメラが三脚に取り付けられた状態を示す斜視図
【図３】図１に示した防振レンズ装置の防振機構を示した正面図
【図４】図３に示した防振機構の組立斜視図
【図５】防振レンズ装置に対するカメラマンの手の位置を示した説明図
【図６】防振用コントローラの取り付け状態を示した説明図
【図７】防振レンズ装置の防振特性モード表示用ＬＥＤの制御系を示すブロック図
【図８】図７に示した防振特性モード表示用ＬＥＤによって表示される色を示した説明図
【図９】防振レンズ装置の補正方向表示用ＬＥＤの制御系を示すブロック図
【図１０】図９に示した補正方向表示用ＬＥＤによって表示される色を示した説明図
【符号の説明】
【００５４】
１０…防振レンズ装置、１２…カメラ、１６…レンズ支持部材、２０…補正レンズ、２２…固定鏡胴、８６…防振用コントローラ、８８…ＯＮ／ＯＦＦスイッチ、９０…マスターレンズ、９２…フォーカスリング、９４…ズームリング、９６…アイリスリング、１００…カメラマン、１０２…操作棒、１０４…ビューファインダ、１０６…ＯＮ／ＯＦＦ表示灯、１０８…防振特性切替スイッチ、１１０…補正方向切替スイッチ、１３０…防振特性モード表示用ＬＥＤ、１３２…補正方向表示用ＬＥＤ、１３４…マイコン、１４２、１４４、１５６、１５８…発光部
【図１】
2005181732.tif 000003
【図２】
2005181732.tif 000004
【図３】
2005181732.tif 000005
【図４】
2005181732.tif 000006
【図５】
2005181732.tif 000007
【図６】
2005181732.tif 000008
【図７】
2005181732.tif 000009
【図８】
2005181732.tif 000010
【図９】
2005181732.tif 000011
【図１０】
2005181732.tif 000012